(57)【要約】【課題】スタンドを筐体から取り外して梱包する際に更なる梱包サイズの小型化を実現して、輸送コストを削減することができる薄型表示装置を提供する。【解決手段】フロントキャビネット１２ａとリアキャビネット１２ｂとから構成されて液晶モジュール１１を収納する筐体１２を備える液晶テレビジョン装置１０において、筐体１２の背面側から見て左側に寄るように設けられることで筐体１２の背面側から見て右側に所定の空間１５を設けるように配置されつつ筐体１２に収納される回路実装基板１４と、土台部１３ａから垂直方向に突出する支柱部１３ｂを介して筐体１２に着脱可能に取り付けられて筐体１２を支持するスタンド１３と、梱包時には筐体１２から取り外したスタンド１３の支柱部１３ｂの一部を挿入可能なようにリアキャビネット１２ｂにおける所定の空間１５に対応した位置に設けられた凹部１６とを備える構成とする。【選択図】図２
2009171519.tif 000002
【特許請求の範囲】
【請求項１】
フロントキャビネットとリアキャビネットとから構成されて薄型表示パネルを収納する筐体を備える薄型表示装置において、
上記薄型表示パネルの背面側における四方向の何れか一方向に所定の空間を設けるように配置されつつ上記筐体に収納される回路実装基板と、
土台部から垂直方向に突出する支柱部を介して上記筐体に着脱可能に取り付けられて該筐体を支持するスタンドと、
梱包時には上記筐体から取り外した上記スタンドの支柱部の一部を挿入可能なように、上記リアキャビネットにおける上記所定の空間に対応した位置に設けられた凹部と
を、備えることを特徴とする薄型表示装置。
【請求項２】
上記凹部は、外部端子が配設される凹みに設けられていることを特徴とする請求項１に記載の薄型表示装置。
【請求項３】
梱包時には、
上記筐体は、上記凹部の長手方向の両端側にて、互いに対向する一面に該筐体を挿入する凹みが設けられた直方体状の２つの発泡スチロール部材により保持され、
上記スタンドは、上記２つの発泡スチロール部材において上記筐体を挿入する凹みが設けられた一面に直交する同じ側の他面にそれぞれ設けられた凹みに上記支柱部の長手方向に沿った上記土台部の両端側が挿入されることで、上記筐体に接触することなく該発泡スチロール部材に載置されることを特徴とする請求項１または２に記載の薄型表示装置。
【請求項４】
上記所定の空間は、上記回路実装基板が上記筐体の幅方向の何れか一方向側に寄るように設けられることで該筐体の幅方向の他方向側に設けられ、
上記凹部は、長手方向が上記筐体の高さ方向と平行になるように、外部端子が配設される凹みに設けられ、
梱包時には、
上記筐体は、高さ方向の両端側にて、互いに対向する一面に該筐体を挿入する凹みが設けられた直方体状の２つの発泡スチロール部材により保持され、
上記スタンドは、上記２つの発泡スチロール部材において上記筐体を挿入する凹みが設けられた一面に直交する同じ側の他面にそれぞれ設けられた凹みに上記支柱部の長手方向に沿った上記土台部の両端側が挿入されることで、上記筐体に接触することなく該発泡スチロール部材に載置され、
梱包状態における上記スタンドを含めた上記筐体の厚み方向の長さは、該筐体のみを梱包する場合における上記発泡スチロール部材を含めた該筐体の厚み方向の長さよりも短いことを特徴とする請求項１に記載の薄型表示装置。 
【発明の詳細な説明】
【技術分野】
【０００１】
本発明は、薄型表示パネルを収納する筐体とその筐体を支持するスタンドとを備えた薄型表示装置に関する。
【背景技術】
【０００２】
薄型表示パネルを収納する筐体とその筐体を支持するスタンドとを備えた薄型表示装置がよく知られている。図７は、薄型表示装置の一例である従来の液晶テレビジョン装置を例示する斜視図である。
図７において、液晶テレビジョン装置１は、フロントキャビネット２とリアキャビネット３とから構成されて液晶パネル４を収納する筐体５と、土台部６から垂直方向に突出する支柱部７を介して筐体５に取り付けられてその筐体５を支持するスタンド８とを備えている。このように構成された液晶テレビジョン装置１では、例えば設置状態における転倒試験対策等を考慮してスタンド８（土台部６）の前後方向の長さを筐体５の厚み方向（前後方向）の正味長さの２〜３倍程度に設計している。
そうすると、液晶テレビジョン装置１を輸送する際にスタンド８を筐体５に取り付けたままの一体型として梱包する場合には、スタンド８の外形を覆うだけの為にそれ相当の厚みが必要となり、無駄なスペースが多くなって梱包サイズの増大に繋がる恐れがあった。
【０００３】
上述したような梱包サイズの増大に対して、例えば特許文献１には、梱包時にスタンドを分離して、梱包スペースを減少させることができる薄型表示装置が開示されている。
また、特許文献２には、プラズマテレビや液晶テレビを輸送する際に、スタンドのみを別に梱包することで梱包サイズを減らし、輸送効率を高めることができるスタンド付電子機器が開示されている。
また、特許文献３には、工場出荷時にスタンド支柱を折り曲げて梱包容積を小さくし輸送コストを低減することができる薄型表示装置が開示されている。
また、特許文献４にはスタンドが着脱可能に構成されているディスプレイ装置が開示され、特許文献５にはスタンドが着脱可能に構成されている液晶テレビジョンが開示されている。
【特許文献１】特開２００７−１９２９２０号公報
【特許文献２】特開２００７−７４５６９号公報
【特許文献３】特開２００５−１４０８０７号公報
【特許文献４】特開２００６−９１７１３号公報
【特許文献５】実用新案登録第３１１６０８７号公報
【発明の開示】
【発明が解決しようとする課題】
【０００４】
しかしながら、一体型として梱包することと比較してスタンドを筐体から分離して梱包することで例えば厚み方向において梱包サイズを小さくできるものの、分離したスタンドを配置する梱包スペースが必要であったり別梱包する必要があることから、更なる梱包サイズの小型化が望まれる。
【０００５】
本発明は上記課題に鑑みて為されたもので、その目的とするところは、スタンドを筐体から取り外して梱包する際に更なる梱包サイズの小型化を実現して、輸送コストを削減することができる薄型表示装置を提供することにある。
【課題を解決するための手段】
【０００６】
上記目的を達成するための請求項１に記載の発明は、フロントキャビネットとリアキャビネットとから構成されて薄型表示パネルを収納する筐体を備える薄型表示装置において、上記薄型表示パネルの背面側における四方向の何れか一方向に所定の空間を設けるように配置されつつ上記筐体に収納される回路実装基板と、土台部から垂直方向に突出する支柱部を介して上記筐体に着脱可能に取り付けられて該筐体を支持するスタンドと、梱包時には上記筐体から取り外した上記スタンドの支柱部の一部を挿入可能なように、上記リアキャビネットにおける上記所定の空間に対応した位置に設けられた凹部とを、備える構成としてある。
【０００７】
上記のように構成された本発明の薄型表示装置において、梱包時には上記筐体から上記スタンドが取り外され、その取り外されたスタンドの支柱部の一部が上記リアキャビネットにおける上記所定の空間に対応した位置に設けられた凹部に挿入されることから、スタンドを筐体から分離したとしてもその分離したスタンドを配置する梱包スペースが必要である従来の脱着梱包時と比較して更に梱包サイズが小さくされる。
【０００８】
また、好適には、上記凹部は外部端子が配設される凹みに設けられている構成としても良い。
【０００９】
また、好適には、梱包時には、上記筐体は、上記凹部の長手方向の両端側にて、互いに対向する一面に該筐体を挿入する凹みが設けられた直方体状の２つの発泡スチロール部材により保持され、上記スタンドは、上記２つの発泡スチロール部材において上記筐体を挿入する凹みが設けられた一面に直交する同じ側の他面にそれぞれ設けられた凹みに上記支柱部の長手方向に沿った上記土台部の両端側が挿入されることで、上記筐体に接触することなく該発泡スチロール部材に載置される構成としても良い。このように構成されることで、筐体のみを梱包するのに元々必要な梱包サイズと同程度の梱包サイズ内で筐体とスタンドとを梱包することが可能となる。
【００１０】
また、好適には、上記所定の空間は、上記回路実装基板が上記筐体の幅方向の何れか一方向側に寄るように設けられることで該筐体の幅方向の他方向側に設けられ、上記凹部は、長手方向が上記筐体の高さ方向と平行になるように、外部端子が配設される凹みに設けられ、梱包時には、上記筐体は、高さ方向の両端側にて、互いに対向する一面に該筐体を挿入する凹みが設けられた直方体状の２つの発泡スチロール部材により保持され、上記スタンドは、上記２つの発泡スチロール部材において上記筐体を挿入する凹みが設けられた一面に直交する同じ側の他面にそれぞれ設けられた凹みに上記支柱部の長手方向に沿った上記土台部の両端側が挿入されることで、上記筐体に接触することなく該発泡スチロール部材に載置され、梱包状態における上記スタンドを含めた上記筐体の厚み方向の長さは、該筐体のみを梱包する場合における上記発泡スチロール部材を含めた該筐体の厚み方向の長さよりも短い構成としても良い。このように構成されることで、筐体のみを梱包するのに元々必要な梱包サイズと同程度の梱包サイズ内で筐体とスタンドとを梱包することが可能となる。
【発明の効果】
【００１１】
以上説明したように、請求項１に記載の発明によれば、スタンドを筐体から取り外して梱包する際に従来の脱着梱包時と比較して更なる梱包サイズの小型化を実現して、輸送コストを削減することができる薄型表示装置が提供される。
【００１２】
また、本発明によれば、上記凹部は外部端子が配設される凹みに設けられるので、簡単な構成で凹部が備えられる。
【００１３】
また、本発明によれば、筐体のみを梱包するのに元々必要な梱包サイズと同程度の梱包サイズ内で筐体とスタンドとを梱包することが可能となるので、例えばコンテナ入り数が一体型として梱包することと比較して７０％程度増加する。また、従来の脱着梱包時と比較してコンテナ入り数が１．５倍程度増加する。また、梱包時には筐体に接触することなくスタンドが発泡スチロール部材に載置されるので、輸送の際に筐体とスタンドとの接触による損傷が避けられる。
【発明を実施するための最良の形態】
【００１４】
以下、図面にもとづいて本発明の実施形態を説明する。
（１）薄型表示装置の概略構成
（２）薄型表示装置の梱包方法
（３）変形例
（４）まとめ
【００１５】
（１）薄型表示装置の概略構成
以下、図１、図２、及び図３を参照して本発明が適用される薄型表示装置としての液晶テレビジョン装置１０の概略構成を説明する。図１は液晶テレビジョン装置１０を示す背面側からの斜視図であり、図２は液晶テレビジョン装置１０の分解斜視図であり、図３は液晶テレビジョン装置１０のブロック構成図である。
尚、本実施形態では本発明が適用される薄型表示装置として液晶テレビジョン装置を例示するが、この実施形態に限定されるものではなく、映像を表示可能な薄型表示装置であれば、例えばプラズマテレビや有機ＥＬテレビ等の薄型テレビジョン装置、テレビ機能を有しない液晶ディスプレイやプラズマディスプレイ等の薄型ディスプレイであれば、本発明の要旨を逸脱しない範囲で種々の変形実施の形態が可能である。
【００１６】
図１、２、３において、液晶テレビジョン装置１０は、液晶モジュール１１と、筐体１２と、スタンド１３とを主体として構成され、チューナ２１と、フロントエンド２２と、デコーダ２３と、ＯＳＤ回路２４と、音声出力部２５と、画像表示部２６と、リモコン受信部２７と、マイコン２８と、電源回路２９と、外部入力端子３０と、外部入力信号処理部３１と、スイッチ回路３２と、アンテナ端子３３とを備えている。
【００１７】
液晶モジュール１１は、液晶パネル２６ｂを収納し、液晶パネル２６ｂの表示面とは反対側となる背面、および上下左右側面を板金で覆われた厚みの薄い構造である。また、液晶モジュール１１の背面には、電源回路２９等の各回路が実装された回路実装基板１４が固定されている。
【００１８】
筐体１２は、フロントキャビネット１２ａとリアキャビネット１２ｂとから構成されている。フロントキャビネット１２ａは、前面に映像を表示するための開口部を有しており、液晶モジュール１１がこのフロントキャビネット１２ａにネジ止めされた後、フロントキャビネット１２ａにリアキャビネット１２ｂが組み付けられることにより、スタンド１３を除いた液晶テレビジョン装置１０の各構成品を収納する。
【００１９】
チューナ２１は、例えば外部端子の１つであるアンテナ端子３３を介してアンテナ３４と接続されており、マイコン２８から入力される制御信号に従って、アンテナ３４で受信されるテレビジョン放送信号の中から１つのチャンネル（例えばユーザによって選局されたチャンネル）に対応するテレビジョン放送信号を取得してフロントエンド２２に出力する。
【００２０】
フロントエンド２２は、例えばマイコン２８から入力される制御信号に従って、チューナ２１から出力されたテレビジョン放送信号を中間周波信号に変換して、デコーダ２３に出力する。
【００２１】
デコーダ２３は、例えばマイコン２８から入力される制御信号に従って、フロントエンド２２から出力された中間周波信号に対して所定のファイル形式（例えばよく知られたＭＰＥＧ−２形式等）に応じた処理を施すことによって、その中間周波信号を音声信号と映像信号とに分離してデコードする。そして、スイッチ回路３２を介してそのデコードした音声信号を音声出力部２５へ出力するとともに、映像信号を画像表示部２６へ出力する。
【００２２】
外部入力端子３０は、例えば外部機器３５から出力されたアナログ映像信号とアナログ音声信号を入力するための外部端子の１つである。アナログ映像信号を入力するための端子は、例えばコンポジット端子、Ｓ端子、コンポーネント端子等である。また、外部機器３５は、例えばコンポジット映像信号、Ｓ映像信号、コンポーネント映像信号を出力可能なＤＶＤ再生機やビデオテープ再生機等である。
【００２３】
外部入力信号処理部３１は、外部機器３５から出力されたアナログ映像信号とアナログ音声信号に所定の処理を施してそれぞれデジタル信号に変換する。そして、スイッチ回路３２を介してその変換した音声信号を音声出力部２５へ出力するとともに、映像信号を画像表示部２６へ出力する。
【００２４】
スイッチ回路３２は、例えばマイコン２８からの制御信号に従って、デコーダ２３からの音声信号および映像信号、或いは外部入力信号処理部３１からの音声信号および映像信号を音声出力部２５および画像表示部２６へそれぞれ出力する。
【００２５】
ＯＳＤ回路２４は、例えばマイコン２８から入力される制御信号に従って、画像表示部２６に所定のＯＳＤ表示（オンスクリーンディスプレイ表示）をさせるためのＯＳＤ表示信号を、スイッチ回路３２から画像表示部２６へ出力される映像信号に合成する。
【００２６】
音声出力部２５は、例えば音声出力アンプＩＣ（Ｄ−ＡＭＰ）２５ａやスピーカ２５ｂなどを有し、音声出力アンプＩＣ２５ａによりスイッチ回路３２から入力された音声信号に電力増幅等の所定の処理を施して、その音声信号に基づく音声データに応じた音声をスピーカ２５ｂから出力する。
【００２７】
画像表示部２６は、例えばパネル駆動回路２６ａや液晶パネル２６ｂなどを有し、スイッチ回路３２から出力された映像信号に基づく画像データに応じた画像や、スイッチ回路３２から出力されてＯＳＤ回路２４によりＯＳＤ表示信号が合成された映像信号に基づく画像データに応じた画像を表示する。
【００２８】
リモコン受信部２７は、例えばリモコン３６から送信された各種赤外線信号（制御コマンド）を受信し、それら各種信号に基づく各種データをマイコン２８へ出力する。
リモコン３６は、例えばユーザによって操作され、その操作に応じた赤外線信号をリモコン受信部２７へ送信する。
【００２９】
マイコン２８は、例えばＣＰＵ２８ａやＲＡＭ２８ｂやＲＯＭ２８ｃなどを有し、液晶テレビジョン装置１０の動作を制御する。例えば、マイコン２８は、リモコン受信部２７で受信した制御コマンドに基づいてチャンネルの切換え、音量のアップ／ダウン等を制御する。
ＣＰＵ２８ａは、ＲＯＭ２８ｃに記憶された液晶テレビジョン装置１０用の各種処理プログラムに従って、各種の制御動作を行う。
ＲＡＭ２８ｂは、ＣＰＵ２８ａによって実行される処理プログラムなどを展開するためのプログラム格納領域や、入力データや上記処理プログラムが実行される際に生じる処理結果などを格納するデータ格納領域などを備える。
ＲＯＭ２８ｃは、液晶テレビジョン装置１０で実行可能なシステムプログラム、そのシステムプログラムで実行可能な各種処理プログラム、これら各種処理プログラムを実行する際に使用されるデータ、ＣＰＵ２８ａによって演算処理された各種結果のデータなどを記憶する。なお、プログラムは、コンピュータが読み取り可能なプログラムコードの形でＲＯＭ２８ｃに記憶されている。
【００３０】
電源回路２９は、例えば部分共振電源回路であり、商用ＡＣ電源を複数種類の所定の電圧に変換して液晶テレビジョン装置１０の各部へ動作電源電圧を出力する。
【００３１】
ここで、本実施例の液晶テレビジョン装置１０においては、梱包時の梱包サイズが一層小型化されるようにリアキャビネット１２ｂやスタンド１３や回路実装基板１４が構成されている。
【００３２】
具体的には、スタンド１３は、土台部１３ａから垂直方向に突出する支柱部１３ｂを介して筐体１２に着脱可能に取り付けられる。例えば、スタンド１３は、ビス止めや差し込み等のよく知られた方法により筐体１２に取り付けられる。
回路実装基板１４は、液晶モジュール１１の背面側における四方向の何れか一方向に所定の空間１５を設けるように配置されつつ筐体１２に収納される。例えば、この所定の空間１５は、回路実装基板１４が筐体１２の幅方向の何れか一方向側（本実施例では背面側から見て左側）に寄るように設けられることで筐体１２の幅方向の他方向側（本実施例では背面側から見て右側）に設けられる。
リアキャビネット１２ｂにおける所定の空間１５に対応した位置には、梱包時に筐体１２から取り外したスタンド１３の支柱部１３ｂの一部を挿入可能なように凹部１６が設けられている。例えば、この凹部１６は、長手方向が筐体１２の高さ方向（上下方向）と平行になるように、すなわち支柱部１３ｂの一部を挿入される際にこの支柱部１３ｂの長手方向が筐体１２の高さ方向と平行になるように、外部入力端子３０やアンテナ端子３３等の外部端子１７が配設される凹みに設けられる。これにより、梱包時には筐体１２からスタンド１３が取り外され、その取り外されたスタンド１３の支柱部１３ｂの一部がリアキャビネット１２ｂにおける所定の空間１５に対応した位置に設けられた凹部１６に挿入されることから、スタンド１３を筐体１２から分離したとしてもその分離したスタンド１３を配置する梱包スペースが必要である従来の脱着梱包時と比較して更に梱包サイズが小さくされる。
【００３３】
（２）薄型表示装置の梱包方法
図４は梱包時における筐体１２とスタンド１３との相対位置を示す図であって、（ａ）は背面側から見た概略図であり、（ｂ）は（ａ）におけるＡ−Ａ断面の概略図である。また、図５は梱包用の箱に収納する直前の状態を示す概略図である。
図４、５において、梱包時には、筐体１２は、凹部１６の長手方向の両端側（本実施例では筐体１２の高さ方向の両端側）にて、互いに対向する一面４０ａに筐体１２を挿入する凹み４０ｂが設けられた直方体状の２つの（一対の）発泡スチロール部材４０により保持される。また、同じく梱包時には、スタンド１３は、２つの発泡スチロール部材４０において筐体１２を挿入する凹みが設けられた一面４０ａに直交する同じ側の他面４０ｃにそれぞれ設けられた凹み４０ｄに支柱部１３ｂの長手方向に沿った土台部１３ａの両端側１３ａ１、２が挿入されることで、筐体１２に接触することなく発泡スチロール部材４０に載置される。
この凹み４０ｄの形状は、土台部１３ａの両端側１３ａ１、２の形状と略等しく形成されている。これにより、スタンド１３は発泡スチロール部材４０によりがたつくことなく安定的に保持され、輸送中に筐体１２に接触することが回避される。
また、梱包状態におけるスタンド１３を含めた筐体１２の厚み方向の長さは、筐体１２のみを梱包する場合における発泡スチロール部材４０を含めた筐体１２の厚み方向の長さよりも短いことが望ましい。したがって、スタンド１３において土台部１３ａから突出する支柱部１３ｂの長さは、そうなるように設計される。これにより、筐体１２のみを梱包するのに元々必要な梱包サイズと同程度の梱包サイズ内で筐体１２とスタンド１３とを梱包することが可能となる。
【００３４】
（３）変形例
回路実装基板１４の大きさや形状、外部端子１７を設ける位置等に依り凹部１６を設ける位置は種々の変形実施の形態が可能である。図６は、凹部１６を設ける位置の変形例を示す概略図である。
図６（ａ）は、外部入力端子３０等のＡＶ入出力端子が凹部１６とは別の凹みに設けられ、凹部１６にはアンテナ端子３３等のアンテナ入出力端子が設けられている場合を示す概略図である。つまり、この変形例では、凹部１６はアンテナ入出力端子が配設される凹みに設けられている。
また、図６（ｂ）は、凹部１６が筐体１２（リアキャビネット１２ｂ）の背面側から見て左側に設けられている場合を示す概略図である。つまり、この変形例では、回路実装基板１４が筐体１２の背面側から見て右側に寄るように設けられることで所定の空間１５が筐体１２の背面側から見て左側に設けられ、その所定の空間１５に対応したリアキャビネット１２ｂの位置に凹部１６が設けられている。
また、図６（ｃ）は、凹部１６が筐体１２（リアキャビネット１２ｂ）の下側に設けられている場合を示す概略図である。つまり、この変形例では、回路実装基板１４が筐体１２の上側に寄るように設けられることで所定の空間１５が筐体１２の下側に設けられ、その所定の空間１５に対応したリアキャビネット１２ｂの位置に凹部１６が設けられている。この凹部１６は、長手方向が筐体１２の幅方向（左右方向）と平行になるように、すなわち支柱部１３ｂの一部を挿入される際にこの支柱部１３ｂの長手方向が筐体１２の幅方向と平行になるように、外部入力端子３０やアンテナ端子３３等の外部端子１７が配設される凹みに設けられる。
尚、凹部１６が設けられる位置に対応して発泡スチロール部材４０が形成されることは言うまでもない。
【００３５】
（４）まとめ
上述のように、本実施例によれば、スタンド１３を筐体１２から取り外して梱包する際に従来の脱着梱包時と比較して更なる梱包サイズの小型化を実現して、輸送コストを削減することができる。
【００３６】
また、本実施例によれば、凹部１６は外部端子１７が配設される凹みに設けられるので、簡単な構成で凹部１６が備えられる。
【００３７】
また、本実施例によれば、筐体１２のみを梱包するのに元々必要な梱包サイズと同程度の梱包サイズ内で筐体１２とスタンド１３とを梱包することが可能となるので、例えばコンテナ入り数が一体型として梱包することと比較して７０％程度増加する。また、従来の脱着梱包時と比較してコンテナ入り数が１．５倍程度増加する。また、梱包時には筐体１２に接触することなくスタンド１３が発泡スチロール部材４０に載置されるので、輸送の際に筐体１２とスタンド１３との接触による損傷が避けられる。
【００３８】
以上、本発明の実施例を図面に基づいて詳細に説明したが、上述したのはあくまでも一実施形態であり、本発明は当業者の知識に基づいて種々の変更、改良を加えた態様で実施することができる。
【図面の簡単な説明】
【００３９】
【図１】本発明が適用される薄型表示装置の一例である液晶テレビジョン装置を例示する背面側からの斜視図である。
【図２】液晶テレビジョン装置の分解斜視図の一例である。
【図３】液晶テレビジョン装置の構成を例示するブロック図である。
【図４】梱包時における筐体とスタンドとの相対位置を例示する図であって、（ａ）は背面側から見た概略図であり、（ｂ）は（ａ）におけるＡ−Ａ断面の概略図である。
【図５】梱包用の箱に収納する直前の状態を例示する概略図である。
【図６】凹部を設ける位置の変形例を示す概略図である。
【図７】薄型表示装置の一例である従来の液晶テレビジョン装置を例示する斜視図である。
【符号の説明】
【００４０】
１０：液晶テレビジョン装置（薄型表示装置）
１２：筐体
１２ａ：フロントキャビネット
１２ｂ：リアキャビネット
１３：スタンド
１３ａ：土台部
１３ａ１、２：土台部の両端側
１３ｂ：支柱部
１４：回路実装基板
１５：所定の空間
１６：凹部
１７：外部端子
２６ｂ：液晶パネル（薄型表示パネル）
４０：発泡スチロール部材
４０ａ：互いに対向する一面
４０ｂ：筐体を挿入する凹み
４０ｃ：一面に直交する同じ側の他面
４０ｄ：他面にそれぞれ設けられた凹み 
【図１】
2009171519.tif 000003
【図２】
2009171519.tif 000004
【図３】
2009171519.tif 000005
【図４】
2009171519.tif 000006
【図５】
2009171519.tif 000007
【図６】
2009171519.tif 000008
【図７】
2009171519.tif 000009